(57)【要約】【課題】  蓋体の開閉作業を効率良く行うこと。【解決手段】  走行部の後方に植付部を連結すると共に、走行部の後部に施肥部を載設して、複数条の苗植付作業と施肥作業とが行えるようにした乗用田植機において、施肥部に複数の施肥ホッパーを設けると共に、これらの施肥ホッパーの供給用開口部に複数の蓋体を開閉自在に取り付け、隣接する蓋体間には連結体を連結・解除自在に介設した。このようにして、複数の蓋体を一体的に開閉することができて、効率良く蓋体の開閉作業を行うことができる。【選択図】      図１
2005117912.tif 000002
【特許請求の範囲】
【請求項１】
走行部の後方に植付部を連結すると共に、走行部の後部に施肥部を載設して、複数条の苗植付作業と施肥作業とが行えるようにした乗用田植機において、
施肥部に複数の施肥ホッパーを設けると共に、これらの施肥ホッパーの供給用開口部に複数の蓋体を開閉自在に取り付け、隣接する蓋体間には連結体を連結・解除自在に介設したことを特徴とする乗用田植機。
【請求項２】
連結体は、隣接する蓋体の内の一方に基端部を枢支し、他方の蓋体に先端部を着脱自在に連結したことを特徴とする請求項１記載の乗用田植機。
【請求項３】
走行部に設けた運転部の直後方位置に施肥部を配設し、同施肥部に複数の施肥ホッパーを左右方向に連続させて配置し、複数の施肥ホッパーの後端縁部に複数の蓋体の後端縁部を枢支して、隣接する蓋体の前端部間に連結体を連結・解除自在に介設したことを特徴とする請求項１又は２記載の乗用田植機。
【発明の詳細な説明】
【技術分野】
【０００１】
本発明は、乗用田植機に関する。
【背景技術】
【０００２】
従来、乗用田植機の一形態として、走行部の後方に植付部を連結すると共に、走行部の後部に施肥部を載設して、複数条の苗植付作業と施肥作業とが行えるようにしたものがある。
【０００３】
そして、施肥部は、走行部に設けた運転部の直後方位置に配設しており、同施肥部に複数の施肥ホッパーを左右方向に連続させて配置し、複数の施肥ホッパーの供給用開口部に複数の蓋体を開閉自在に取り付けている（例えば、特許文献１参照）。
【特許文献１】特開２００３−６１４１９号公報
【発明の開示】
【発明が解決しようとする課題】
【０００４】
ところが、上記した施肥部では、施肥ホッパーに肥料を供給ないしは補給する際に、蓋体を開放して供給用開口部を開口させなければならないが、各施肥ホッパーにそれぞれ蓋体を設けた場合には、各蓋体体を一個一個開閉しなければならないという煩雑さがある。
【０００５】
そこで、複数の施肥ホッパーないしは全ての施肥ホッパーの供給用開口部を一つの蓋体により開閉すべく、同蓋体を左右方向に横長に形成することも考えられるが、この場合、雨天時等に肥料を補給する際に、補給している施肥ホッパー以外の施肥ホッパー内に雨が降り込んで、施肥ホッパー内が濡れるという不具合がある。
【課題を解決するための手段】
【０００６】
そこで、本発明では、走行部の後方に植付部を連結すると共に、走行部の後部に施肥部を載設して、複数条の苗植付作業と施肥作業とが行えるようにした乗用田植機において、施肥部に複数の施肥ホッパーを設けると共に、これらの施肥ホッパーの供給用開口部に複数の蓋体を開閉自在に取り付け、隣接する蓋体間には連結体を連結・解除自在に介設したことを特徴とする乗用田植機を提供するものである。
【０００７】
また、本発明は、以下の構成にも特徴を有する。
【０００８】
（１）連結体は、隣接する蓋体の内の一方に基端部を枢支し、他方の蓋体に先端部を着脱自在に連結したこと。
【０００９】
（２）走行部に設けた運転部の直後方位置に施肥部を配設し、同施肥部に複数の施肥ホッパーを左右方向に連続させて配置し、複数の施肥ホッパーの後端縁部に複数の蓋体の後端縁部を枢支して、隣接する蓋体の前端部間に連結体を連結・解除自在に介設したこと。
【発明の効果】
【００１０】
（１）請求項１記載の本発明では、走行部の後方に植付部を連結すると共に、走行部の後部に施肥部を載設して、複数条の苗植付作業と施肥作業とが行えるようにした乗用田植機において、施肥部に複数の施肥ホッパーを設けると共に、これらの施肥ホッパーの供給用開口部に複数の蓋体を開閉自在に取り付け、隣接する蓋体間には連結体を連結・解除自在に介設している。
【００１１】
このようにして、隣接する蓋体間には連結体を連結・解除自在に介設しているため、複数の蓋体を一体的に開閉したい場合には、隣接する蓋体同士をあらかじめ連結体により連結しておくことにより、複数の蓋体を一体的に開閉することができて、効率良く蓋体の開閉作業を行うことができる。
【００１２】
そして、雨天時等において、複数の蓋体を一体的に開閉させたくない場合には、隣接する蓋体同士の連結体による連結を解除状態となしておくことにより、各蓋体を個々に開閉することができて、補給している施肥ホッパー以外の施肥ホッパー内に雨が降り込んで、施肥ホッパー内が濡れるという不具合の発生を防止することができる。
【００１３】
（２）請求項２記載の本発明では、連結体は、隣接する蓋体の内の一方に基端部を枢支し、他方の蓋体に先端部を着脱自在に連結している。
【００１４】
このようにして、隣接する蓋体の内の一方に基端部を枢支した連結体の先端部を、他方の蓋体に着脱自在に連結しているため、同連結体による連結・解除作業を簡単かつ確実に行うことができる。
【００１５】
（３）請求項３記載の本発明では、走行部に設けた運転部の直後方位置に施肥部を配設し、同施肥部に複数の施肥ホッパーを左右方向に連続させて配置し、複数の施肥ホッパーの後端縁部に複数の蓋体の後端縁部を枢支して、隣接する蓋体の前端部間に連結体を連結・解除自在に介設している。
【００１６】
このようにして、後端縁部を枢支した隣接する蓋体の前端部間に連結体を連結・解除自在に介設しているため、オペレータは、運転部側から連結体を楽に連結・解除操作することができると共に、同位置にて蓋体を開閉して肥料の供給ないしは補給作業を連続して円滑に行うことができる。
【００１７】
従って、施肥ホッパーへの肥料の供給ないしは補給作業を効率良く行うことができる。
【発明を実施するための最良の形態】
【００１８】
以下に、本発明に係る最良の実施の形態について、図面を参照しながら説明する。
【００１９】
図１に示すＡは、本発明に係る乗用田植機であり、同乗用田植機Ａは、走行部１の後方に昇降連結機構２を介して植付部３を連結すると共に、走行部１の後部に施肥部４を載設して、複数条（本実施例では８条）の苗植付作業と施肥作業とが行えるようにしている。
【００２０】
走行部1は、図１に示すように、前後方向に伸延させて形成した機体フレーム５上において、前部に原動機部６を配設し、同原動機部６の後方位置に運転部７を配設し、また、機体フレーム５の下方において、中央部に原動機部６のエンジン８と連動連結したミッションケース９を配設し、同ミッションケース９の前方位置にフロントアクスルケース10を連動連結して配設して、同フロントアクスルケース10に前車軸11,11を介して左右一対の前車輪12,12を連動連結する一方、ミッションケース９の後方位置にリヤアクスルケース13を連動連設して配設して、同リヤアクスルケース13に後車軸14,14を介して左右一対の後車輪15,15を連動連結している。16は予備苗載台である。
【００２１】
原動機部６は、ボンネット20とステアリングコラム21の一部とによりエンジン８等を被覆している。
【００２２】
運転部７は、ステアリングコラム21の上部に軸支持ケース22を介してステアリングホイール23を取り付け、同ステアリングホイール23の後方位置に運転席24を配置している。
【００２３】
ここで、機体フレーム５上にはステップ部形成体25を張設しており、同ステップ部形成体25は、原動機部６の左右側方位置に形成した左右側前部ステップ部形成片26,26と、ステアリングコラム21と運転席24との間に形成した中央部ステップ部形成片27と、運転席24の後方位置に形成した後部ステップ部形成片28とを具備している。
【００２４】
植付部３は、図１に示すように、植付ミッションケース30に複数（本実施例では四個）の植付伝動ケース31,31,31,31を連動連設し、各植付伝動ケース31の左右側後部にそれぞれ植付爪32,32を連動連結して、これらのケース30,31,31,31,31の上方に苗載台33を配設する一方、下方にセンターフロート34とサイドフロート35,35を配設して、８条の苗植付作業が行えるようにしている。36は苗載台支持フレーム、37は植付ヒッチである。
【００２５】
昇降連結機構２は、図１に示すように、走行部１の機体フレーム５の後部と、植付部３の植付ヒッチ37との間に昇降リンク40を介設すると共に、同昇降リンク40と機体フレーム５との間に昇降油圧シリンダ41を介設して、同昇降油圧シリンダ41の伸縮作動に連動して昇降リンク40を昇降作動させて、適宜植付部３を昇降させることができるようにしている。
【００２６】
施肥部４は、図1〜図３に示すように、後部ステップ部形成片28上に左右方向に隣接させて配置した複数条分（本実施例では８条分）の施肥体45と、これら施肥体45にそれぞれ連通連結すると共に左右方向に伸延する導風管46と、同導風管46の左側端部に連通連結したブロワ47とを具備している。48は施肥部支持機枠である。
【００２７】
そして、各施肥体45は、施肥ホッパー50と、同施肥ホッパー50の下端部に連通連設した繰り出しケース51と、同繰り出しケース51の下端部と上記左右伸延導風管46とに基端部52aを連通連結しかつ先端部52bを植付部３に配置した施肥ホース52と、上記繰り出しケース51の前面中途部に基端部53aを連通連結した蛇腹状で伸縮自在の排出ホース53とを具備している。
【００２８】
このようにして、各施肥体45では、施肥ホッパー50内に給した肥料を、繰り出しケース51により一定量ずつ繰り出し、繰り出した肥料をブロワ47から左右伸延導風管46を通して圧送される送風により、施肥ホース52を通して圃場に施肥するようにしている。
【００２９】
また、本実施の形態では、図２及び図３に示すように、各施肥ホッパー50は、上端部に供給用開口部56を形成して、同供給用開口部56を蓋体55により蓋体するようにしており、同蓋体55は、左側部の三個の施肥ホッパー50,50,50と、中央部の二個の施肥ホッパー50,50と、右側部の三個の施肥ホッパー50,50,50を各ユニットとして、各ユニットをそれぞれ開閉蓋するようにしている。
【００３０】
すなわち、左側部の三個の施肥ホッパー50,50,50は、これら施肥ホッパー50,50,50の後壁上部に左側部の蓋体55の基端縁部を枢支して、同蓋体55によりこれら施肥ホッパー50,50,50の上端部に形成した供給用開口部56,56,56を同時に開閉蓋するようにしている。
【００３１】
そして、中央部の二個の施肥ホッパー50,50は、これら施肥ホッパー50,50の後壁上部に中央部の蓋体55の基端縁部を枢支して、同蓋体55によりこれら施肥ホッパー50,50の上端部に形成した供給用開口部56,56を同時に開閉蓋するようにしている。
【００３２】
また、右側部の三個の施肥ホッパー50,50,50は、これら施肥ホッパー50,50,50の後壁上部に右側部の蓋体55の基端縁部を枢支して、同蓋体55によりこれら施肥ホッパー50,50,50の上端部に形成した供給用開口部56,56,56を同時に開閉蓋するようにしている。
【００３３】
このようにして、八個の施肥ホッパー50の供給用開口部56を、三個の蓋体55により開閉蓋するようにしている。
【００３４】
ここで、蓋体55は、左右横長四角形状の蓋本片55aと、同蓋本片55aの周縁部より垂下させて形成した周壁片55bとから形成している。
【００３５】
上記のような構成において、本発明の要旨は、隣接する蓋体55,55間に連結体60を連結・解除自在に介設したことにある。
【００３６】
すなわち、図２及び図３に示すように、左側部の蓋体55の右側前部と中央部の蓋体55の左側前部との間に連結体60を連結・解除自在に介設すると共に、中央部の蓋体55の右側前部と右側部の蓋体55の左側前部との間に連結体60を連結・解除自在に介設している。
【００３７】
連結体60は、図４〜図６にも示すように、左右方向に伸延する前後一対の連結本片61,61と、両連結本片61,61の下端縁部間に介設した底部片62とから側面視略Ｕ字状に形成しており、両連結本片61,61は、蓋体55の周壁片55bの肉厚よりもやや幅広に形成している。
【００３８】
そして、前側の連結本片61に、左右方向に伸延する板バネ片63の右側端部を連結ボルト64,64により連結して、同板バネ片63を前方へ屈曲自在となし、同板バネ片63の左側端部には、前後方向に軸線を向けたピン状の係合片65を前後方向に貫通させて取り付け、同係合片65の前端部に抓み片66を取り付ける一方、前側の連結本片61に係合片貫通孔67を前後方向に貫通させて形成して、同係合片貫通孔67中に板バネ片63を介して係合片65を抜き差し自在に貫通させている。
【００３９】
また、後側の連結本片61の左右側部には、それぞれ蓋体縁部干渉回避用凹部68,68を形成している。
【００４０】
このようにして、連結体60は、中央部の蓋体55の周壁片55bの左側前部に、前後側の連結本片61,61の右側端部を嵌合させると共に、前後方向に軸線を向けた枢支ピン69により枢支して、同枢支ピン69を中心に上下回動自在となしている。
【００４１】
また、左側の蓋体55の周壁片55bの右側前部には、前後方向に開孔して前記係合片貫通孔67と符合する係合孔70を形成している。
【００４２】
そして、あらかじめ係合片65を前側の連結本片61の係合片貫通孔67から引き抜いた状態にして、連結体60を上方へ回動させると共に、左側の蓋体55の周壁片55bの右側前部に、前後側の連結本片61,61の左側端部を嵌合させると共に、上記係合孔70に係合片貫通孔67を符合させ、同状態にて両孔67,70中に係合片65を挿通させて係合させることにより、両蓋体55,55を連結することができるようにしている。
【００４３】
この際、係合片65は、抓み片66を抓んで板バネ片63の弾性付勢力に抗して前方へ引くことにより、前側の連結本片61の係合片貫通孔67から容易に引き抜くことができる一方、抓み片66から手を離すと、板バネ片63の弾性復元力により、符合している係合貫通孔67と係合孔70とに挿通されて係合状態となる。
【００４４】
従って、連結体60による蓋体55,55の連結・解除操作は、片手でも楽に行うことができ、その結果、オペレータは、運転部７の運転席24に着座したまま、後方へ振り向いた半身の状態でも連結体60を楽に連結・解除操作することができる。
【００４５】
また、中央部の蓋体55と右側部の蓋体55とを連結・解除する連結体60も、上記した連結体60と同様に構成している。
【００４６】
次に、上記した三個の蓋体55,55,55の開閉形態について、図７を参照しながら説明する。
【００４７】
（１）三個の蓋体55,55,55を一体的に開閉する形態
図７(a)に示すように、三個の蓋体55,55,55を連結体60,60を介して連結することにより、これらを一体的に開閉することができて、各施肥ホッパー50への肥料の供給作業を行う際に、全ての施肥ホッパー50の供給用開口部56を同時に開口させて、効率良く肥料の供給作業を行うことができる。また、供給作業終了後は、同時に（一体的に）蓋体55,55,55を閉蓋することができる。
【００４８】
（２）三個の蓋体55,55,55を個別に開閉する形態
図７(b)に示すように、三個の蓋体55,55,55を個別に開閉蓋したい場合、例えば、雨天時等において、複数の蓋体55を一体的に開閉させたくない場合には、隣接する蓋体55,55,55同士の連結体60,60による連結を解除状態となしておくことにより、各蓋体55,55,55を個々に開閉することができて、補給している施肥ホッパー50以外の施肥ホッパー50内に雨が降り込んで、施肥ホッパー50内が濡れるという不具合の発生を防止することができる。
【００４９】
（３）中央部と右側部の蓋体55,55だけを一体的に開閉する形態
図７(c)に示すように、中央部の蓋体55と右側部の蓋体55を連結体60に連結する一方、左側部の蓋体55と中央部の蓋体55は連結解除しておくことにより、中央部の蓋体55と右側部の蓋体55は一体的に開閉することができると共に、左側部の蓋体55はこれらとは個別に開閉することができる。
【００５０】
（４）左側部と中央部の蓋体55,55だけを一体的に開閉する形態
図７(d)に示すように、左央部の蓋体55と中央部の蓋体55を連結体60に連結する一方、中央部の蓋体55と右側部の蓋体55は連結解除しておくことにより、左側部の蓋体55と中央部の蓋体55は一体的に開閉することができると共に、右側部の蓋体55はこれらとは個別に開閉することができる。
【００５１】
なお、本実施の形態では、三個の施肥ホッパー50,50,50ないしは二個の施肥ホッパー50,50をユニットとして、各ユニットを一個の蓋体55により開閉蓋するようにしているが、かかるユニットの形態は、これに限られるものではなく、例えば、二個の施肥ホッパー50,50をユニットとして、四個のユニットを四個の蓋体55,55,55,55により開閉蓋するようにしても良い。
【００５２】
図８は、前記した排出ホース53の使用形態を示しており、同排出ホース53は、前記したように蛇腹状で伸縮自在かつ屈曲自在に形成して、上記繰り出しケース51の前面中途部に基端部53aを連通連結している。
【００５３】
そして、不使用時には、図１ないしは図８(a)の一点鎖線で示すように、全体的に収縮させて、先端部53bを施肥部支持機枠48に設けた係止体75に係止させて収納状態となす一方、使用時には、図８(a)の実線で示すように、先端部53bを係止体75から係止解除して、全体的に伸長させて、先端部53bを後車輪15の外側方に設置した回収容器76内に配置することができるようにしている。
【００５４】
この際、最外側の排出ホース53は、後部ステップ部形成片28との干渉を回避すべく外側方へ湾曲させて回収容器76まで伸延させている。
【００５５】
そして、内方に配置した排出ホース53,53は、後部ステップ部形成片28上を後方へ伸延させると共に、同後部ステップ部形成片28の直後方位置より下方へ伸延させ、さらに、図８( b)にも示すように、後車輪15のリム15aとスポーク15bとにより形成される開口部15cより外側方へ伸延させて、収容容器76まで伸延させている。
【００５６】
このようにして、伸縮自在かつ屈曲自在の排出ホース53を使用することにより、同排出ホース53を、後部ステップ部形成片28を迂回しながら後車輪15の開口部15cに挿通して回収容器76まで伸延させることができるようにしているため、同排出ホース53を肥料の自然落下で排出できる角度に確保して、肥料を円滑に回収することができる。77は回収した肥料である。
【００５７】
図９及び図１０は、ブロワ47の使用形態を示しており、同ブロワ47は、その吐出口部80を導風管46の左側端部に着脱自在に連通連結して、使用時には、吐出口部80を導風管46に連通連結する一方、不使用時には、ブロワ47の吸入口部81を後部ステップ部形成片28の直上方位置に配置すると共に、吐出口部80を施肥体45に向けて近接配置している。
【００５８】
すなわち、図９及び図１０に示すように、導風管46の左側端前部に使用位置連結体82を設けると共に、施肥部支持機枠48の左側部に収納位置連結体83を設ける一方、ブロワ47の前部にブロワ連結体84を設けて、同ブロワ47を、ブロワ連結体84を介して使用位置用連結体82ないしは収納位置連結体83に選択的に連結するようにしている。
【００５９】
そして、使用位置連結体82には、上下方向に軸線を向けた上部連結ピン85と下部連結ピン86とを上下方向に一定の間隔を開けて同一軸線上に配置している。
【００６０】
また、収納位置連結体83には、上下方向に軸線を向けた上部連結ピン87と下部連結ピン88とを上下方向に一定の間隔を開けて同一軸線上に配置している。
【００６１】
ブロワ連結体84には、上下方向に開口する上部連結ピン挿通孔89と下部連結ピン挿通孔90とを上下方向に一定の間隔を開けて上下方向に符合させて配置している。
【００６２】
また、ブロワ47の後部でかつ吐出口部80の近傍に係止・固定用突片91を後方へ向けて突設する一方、導風管46の左側端後部に使用位置係止・固定用リング片92を設けると共に、施肥部支持機枠48の左側部に不使用位置係止・固定用リング片93を設けている。
【００６３】
このようにして、使用位置連結体82の上・下部連結ピン85,86に、ブロワ連結体84の上・下部連結ピン挿通孔89,90を上方から挿通させて連結すると共に、ブロワ47の係止・固定用突片91に使用位置係止・固定用リング92を係止させて、ブロワ47の吐出口部80を導風管46に接続した状態にて、固定することができるようにしている。
【００６４】
また、ブロワ47の係止・固定用突片91に係止している使用位置係止・固定用リング92を係止・固定解除すると共に、使用位置連結体82の上・下部連結ピン85,86からブロワ連結体84の上・下部連結ピン挿通孔89,90を抜き取ることにより、ブロワ47を取り外すことができるようにしている。
【００６５】
そして、収納位置連結体83の上・下部連結ピン87,88に、ブロワ連結体84の上・下部連結ピン挿通孔89,90を上方から挿通させて連結すると共に、ブロワ47の係止・固定用突片91に不使用位置係止・固定用リング片93を係止させて、ブロワ47の吐出口部80を導風管46から取り外した状態にて、ブロワ47の吐出口部80を施肥体45に向けて近接配置すると共に、ブロワ47の吸入口部81を後部ステップ部形成片28の直上方位置に配置することができるようにしている。
【００６６】
また、ブロワ47の係止・固定用突片91に係止している不使用位置係止・固定用リング片93を係止・固定解除すると共に、収納位置連結体83の上・下部連結ピン87,88からブロワ連結体84の上・下部連結ピン挿通孔89,90を抜き取ることにより、ブロワ47を取り外すことができるようにしている。
【００６７】
このように、本実施の形態では、ブロワ47を不使用状態にした際には、同ブロワ47の吐出口部80を施肥体45に向けて近接配置すると共に、同ブロワ47の吸入口部81を後部ステップ部形成片28の直上方位置に配置することができるため、別途遮蔽体を設けることなく、吐出口部80や吸入口部81に雨水や洗浄水等が浸入するのを防止することができる。
【図面の簡単な説明】
【００６８】
【図１】本発明に係る乗用田植機の側面図。
【図２】施肥部の平面説明図。
【図３】同施肥部の正面説明図。
【図４】連結体の平面図。
【図５】同連結体の正面説明図。
【図６】同連結体の側面図。
【図７】蓋体の連結形態説明図。
【図８】排出ホースの使用形態説明図。
【図９】ブロワの平面説明図。
【図１０】同ブロワの正面説明図。
【符号の説明】
【００６９】
Ａ乗用田植機
１  走行部
２  昇降連結機構
３  植付部
４  施肥部
５  機体フレーム
６  原動機部
７  運転部
【図１】
2005117912.tif 000003
【図２】
2005117912.tif 000004
【図３】
2005117912.tif 000005
【図４】
2005117912.tif 000006
【図５】
2005117912.tif 000007
【図６】
2005117912.tif 000008
【図７】
2005117912.tif 000009
【図８】
2005117912.tif 000010
【図９】
2005117912.tif 000011
【図１０】
2005117912.tif 000012